(57)【要約】      （修正有）【課題】被せ納まりでの扉の開閉動作を可能とし、扉のサイズや重量に応じて閉鎖力が調整でき、収納スペース内部への出っ張りを極力薄く形成可能とした丁番を提供する。【解決手段】扉側ケース１と、スライド部材２と、羽根部材３を設ける。軸心１３を羽根部材３とスライド部材２の軸心挿入孔１０に挿入して両者を回動自在に連結する。扉側ケース１内でスライド部材２が直線動作のみ可能に規制された状態で、連動ピン１４を扉側ケース１の長孔４とスライド部材２の円弧孔１１に同時に貫通させ、羽根部材３の連動ピン挿入孔１２に差し込んで扉側ケース１とスライド部材２と羽根部材３を組み付ける。ばね部材とばね受けとばね力調整部材を設け、開閉によるスライド部材２に対する扉側ケース１の移動動作を利用し、閉鎖力を得るとともに閉鎖力自体を調整可能にする。【選択図】図１
2018123655.tif 000002
【特許請求の範囲】
【請求項１】
枠体に扉を開閉自在に保持するための丁番であって、長孔が形成された水平面を有した扉側ケースと、軸心挿入孔と軸心挿入孔を中心とした円弧孔が形成された水平面を有したスライド部材と、連動ピン挿入孔と軸心挿入孔が形成された水平面と取り付け面を有した羽根部材が設けられ、羽根部材とスライド部材の水平面を重ね合わせた状態で、軸心を羽根部材とスライド部材の軸心挿入孔に貫通させて挿入することで両者は回動自在に連結され、さらに扉側ケース内にスライド部材を一方向にのみ移動可能に規制された状態で水平面を重ね合わせて配置され、連動ピンを扉側ケースの長孔とスライド部材の円弧孔に同時に貫通させた状態で、羽根部材の連動ピン挿入孔に差し込んで扉側ケースとスライド部材と羽根部材を組み付けて構成したことを特徴とする丁番。
【請求項２】
前記扉側ケースに長孔を有した水平面を平行な配置で２個設け、その間は略直方体の凹み部分として形成され、軸心挿入孔と軸心挿入孔を中心とした円弧孔を有した水平面を２個平行に備えた略箱型形状にてスライド部材は形成され、連動ピン挿入孔と軸心挿入孔を有した２個の水平面を略コの字形状に連結して羽根部材が形成され、羽根部材の略コの字形状の２個の水平面をスライド部材に挿入し、各々２個の水平面を重ね合わせた状態で軸心にて連結し、さらに略箱型形状のスライド部材を扉側ケースの凹み部分に一方向にしか移動できない状態で嵌め込んで、各々３個の水平面を重ね合わせた状態で連動ピンを長孔と円弧孔に貫通させて連動ピン挿入孔に差し込んで扉側ケースとスライド部材と羽根部材を組み付けて丁番を構成し、扉側ケースは扉に、羽根部材は枠体に装着されることで扉が枠体に保持され、扉の開閉動作によりスライド部材に対して扉側ケースが出没しながらの羽根部材に対する回転動作が得られることを特徴とする請求項１に記載の丁番。
【請求項３】
前記扉側ケースに垂直方向の取り付け面を形成し、水平面の長孔が扉の厚み内に配置されるように扉の吊元側を彫り込んで扉側ケースを装着し、羽根部材に垂直方向の取り付け面を設け、枠体側板内面の手前位置に羽根部材を装着し、閉鎖状態で扉内面が枠体側板前面に一定の隙間を有して配置された納まり位置から扉を開放すると、連動ピンがスライド部材の円弧孔と扉側ケースの長孔に同時に挿入されているため、所定角度範囲まではスライド部材に対して扉側ケースを手前方向に徐々に押し出す動作になり、その結果扉側ケースと共に扉内面端部コーナーが枠体側板前面に接近する度合いを低減する軌跡が得られ、所定角度範囲以降はスライド部材に対して扉側ケースが奥方向に戻る動作になることを特徴とする請求項２に記載の丁番。
【請求項４】
前記スライド部材の円弧孔の軸心挿入孔に対する開き角度を、最大開放時に扉正面端部コーナーが枠体側板前部面に当接する直前の位置になるように、９０度以上の任意の角度にて設定したことを特徴とする請求項３に記載の丁番。
【請求項５】
前記略箱型形状のスライド部材に第一傾斜面が設けられ、扉側ケースの直方体形状の凹み部分の横側部分に矩形スペースが拡張され、ばね部材と第二傾斜面を有したばね受けが設けられ、スライド部材の第一傾斜面とばね受けの第二傾斜面が面対する配置で、ばね部材により両傾斜面がより多く重なり合う方向に付勢するように、扉側ケースの矩形スペース内にばね部材とばね受けが配置されたことを特徴とする請求項１または２に記載の丁番。
【請求項６】
閉鎖状態から扉を開放する際に、所定角度範囲まではスライド部材に対して扉側ケースを手前方向に徐々に押し出す動作により、スライド部材の第一傾斜面がばね受けの第二傾斜面を押し込むと共にばね部材を圧縮させる動作になり、所定角度範囲未満の開放角度でそのまま扉を放置すると、ばね部材の付勢力によりスライド部材を奥方向に戻そうとする力が発生し、その結果扉が閉鎖する動作が得られることを特徴とする請求項３または５に記載の丁番。
【請求項７】
扉を所定角度範囲を超えてさらに開放すると、連動ピンがスライド部材の円弧孔と扉側ケースの長孔に同時に挿入されているため、スライド部材に対して扉側ケースが奥方向に戻る動作になり、ばね部材の付勢力によりスライド部材を奥方向に戻そうとする力と同方向になり、その結果所定角度範囲を超えた位置で扉を放置すると、そのまま最大開放角度まで扉を開かせる動作になることを特徴とする請求項３または５に記載の丁番。
【請求項８】
前記扉側ケースの矩形スペース内でのばね部材を挟んだばね受けとは逆側にばね力調整機構が設けられ、扉を開放した状態で扉内面側からばね部材の付勢力を強弱できる操作手段を有し、施工後にばね部材による付勢力を変えることで扉の閉鎖力が任意に調整可能とされたことを特徴とする請求項３または５に記載の丁番。
【請求項９】
前記ばね力調整機構が、傾斜面を有した２個のばね力調整部材を互いの傾斜面が面対した状態で扉側ケースの矩形スペース内でのばね部材を挟んだばね受けとは逆側に配置され、片方のばね力調整部材には雌ねじ部分が設けてあり、ばね力調整ねじを雌ねじ部に螺合させた状態でねじの頭部が扉内面に向いた状態で扉側ケースに対して空転するように配置され、ばね力調整ねじを回すことで両傾斜面により他方のばね力調整部材がばね部材を押し込むことで付勢力が調整可能となる構成であることを特徴とする請求項８に記載の丁番。
【請求項１０】
前記ばね力調整機構が、ドライバーと適合する十字ビットと一体化された操作部分を有する偏心カムが設けられ、操作部分が扉内面に配置された状態で扉側ケースの矩形スペース内に配置されており、操作部分を回す動作と共に偏心カムの側面がばね部材を押し込んで付勢力が調整可能となる構成であることを特徴とする請求項８に記載の丁番。
【請求項１１】
前記扉側ケースを扉の厚み内に彫り込んだ状態で配置し、その内部で扉の開閉動作を実施するため、羽根部材の取り付け面を垂直方向の板形状にて設定しておくことにより、収納スペース内に突出する寸法が低減可能となることを特徴とする請求項１または２に記載の丁番。
【請求項１２】
施工後に枠体に対して扉の位置を建付け調整する手段として、支点と雌ねじ部を有する枠側ベース部材を設け、枠側ベース部材に偏心形状の前後調整カムを配置して羽根部材の取り付け面に挿入し、前後調整カムを回す操作で前後調整が実施可能とされ、左右調整ねじを羽根部材を介して枠側ベース部材の雌ねじ部に螺合し、枠側ベース部材に対して支点を中心に羽根部材の角度を変化させる略シーソー動作により左右調整が実施可能とされ、扉側ケースの取り付け面に上下方向の長孔を設け、取り付けねじを緩めた後に押し引きして上下方向の位置を調整後に再固定することにより、上下調整が実施可能とされたことを特徴とする請求項１または２に記載の丁番。
【発明の詳細な説明】
【技術分野】
【０００１】
本発明は枠体に扉を開閉自在に保持するための丁番に関するものである。
【背景技術】
【０００２】
従来から、家具等の枠体に扉を開閉自在に取り付ける際には丁番やピボットヒンジが使用されており、通常は軸芯を扉面から持ち出した位置に配置した持ち出し吊が扉の開閉の条件として最もよいとされている。しかしながら持ち出し吊の場合は必ず扉の外部に軸芯部分が突出した状態で露出してしまい、収納家具などにおいてはデザイン面でよくないとされている。また収納家具等では枠体の前面に扉が被さった納まりが多く、通常の丁番そのままでは対応しにくい。
【０００３】
そこで扉４１の厚み内に軸心１３を配置する構成が考えられるのであるが、扉正面１７や側面に露出させずに軸心１３を配置する場合では、図１４（ａ）に示すように扉正面１７や側面に一定の厚みを残した条件で扉内面１６を彫り込み、その内部に軸心挿入孔１０を有した扉側ケース１を配置し、同様に軸心挿入孔１０を有した羽根部材３を扉側ケース１に差し込んで軸心１３を両者に貫通させて構成することになる。そして羽根部材３を枠体側板内面１８に装着して扉４１を枠体４２に保持するのであるが、このとき扉内面１６と枠体側板前面１９はわずかな隙間しか設定されていないため、図１４（ｂ）に示すように扉内面端部コーナー２０が開放動作と共にすぐに枠体側板前面１９に接近後当接してしまう軌跡になり、やはり被せ納まりにおいては適応させることが難しい。そこで枠体側板前面１９に扉内面１６が被さった状態で開閉可能なスライド丁番が最も一般的に用いられており、複数の扉４１が同一面に並んだ状態での壁面収納などにおいては枠体側板前面１９が扉４１により隠された状態になり非常にデザイン性がよいとされている。
【０００４】
このスライド丁番に関しては、基本構造であるリンクの機構はすでに公知とされており、その改良品としては、特開平６−３４６６５号公報や、特開２０００−１７９３１号公報や、特開２００２−１３８７４８号公報や、特開２００５−１９４７４７号公報や、特開２０１２−１２８２３号公報等に多数報告されている。また上記特開平６−３４６６５号公報においてはスライド丁番全ての問題として改良の余地があるとされる項目で、収納スペース内部にスライド丁番自体が出っ張ってしまうため荷物の出し入れの際に邪魔になる点や、クローゼットの場合には衣服の出し入れの際に引っ掛ける点が改良点として挙げられている。そして特開平６−３４６６５号公報では建付け調整のためのねじ等がさらに突出するのを回避するための改良であり、スライド丁番自体の出っ張りを低減させることには触れられていない。つまり現状においては、スライド丁番のリンク機構で固有の動作を得るには現行程度の収納スペース内部での出っ張りは避けられないと想定される。
【０００５】
また特開２０００−１７９３１号公報や特開２００５−１９４７４７号公報にも記されているように、従来のスライド丁番は多数の部品を高精度に仕上げる必要があり、それらの組み立ても厳密さが要求される。そこで部品点数も少なく、もう少し容易な組み立て作業にて実現できる新たな構成が望まれる。
【０００６】
またスライド丁番はばね性を用いたリンク部分の機構にて、閉鎖時に扉が所定の角度以下になると閉鎖力が働く機構を兼ね備えており、その結果扉を完全に閉じきることが可能となる。そして通常の収納家具用の扉では上下に２個のスライド丁番を用いるのであるが、この閉鎖力は１個のスライド丁番に対しては均一の荷重であるため、実際には扉のサイズや重量により閉鎖条件が変わってしまう。つまり幅が狭く軽い扉では非常に強く閉鎖力が働いてしまい、バタンと衝突するような閉鎖条件になり、逆に幅が広く重い扉の場合は閉鎖力が足らなく完全に閉じきらないような現象が起こる。しかし扉が閉じきらない現象は重要度が高く誤作動となるため、大多数の扉でも閉じきるようにバネ力を強めに設定しておき、軽い扉においてはダンパーを用いて最終段階での衝撃を緩和させる手段が採用されており、その構成が特開２００２−１３８７４８号公報や特開２０１２−１２８２３号公報等に報告されている。
【特許文献１】特開平６−３４６６５号公報
【特許文献２】特開２０００−１７９３１号公報
【特許文献３】特開２００２−１３８７４８号公報
【特許文献４】特開２００５−１９４７４７号公報
【特許文献５】特開２０１２−１２８２３号公報
【発明の開示】
【発明が解決しようとする課題】
【０００７】
本発明は上記問題点を解決するためになされたものであり、新しい軌跡にて被せ納まりでの扉の開閉動作を可能とし、扉のサイズや重量に対応した閉鎖最終段階での閉鎖力が得られ、さらに収納スペースの内側に配置する出っ張りを極力薄く形成可能とした丁番を提供することである。
【課題を解決するための手段】
【０００８】
本発明では上記目的を達成するために次の技術手段を設けた。まず長孔を形成した水平面を有した扉側ケースと、軸心挿入孔と軸心挿入孔を中心とした円弧孔が形成された水平面を有したスライド部材と、連動ピン挿入孔と軸心挿入孔が形成された水平面と取り付け面を有する羽根部材を設ける。そして羽根部材とスライド部材の水平面を重ね合わせた状態で、軸心を羽根部材とスライド部材の軸心挿入孔に貫通させて挿入することで両者は回動自在に連結される。次に扉側ケース内でスライド部材が直線動作のみ可能に規制された状態で両者の水平面を重ね合わせて配置し、連動ピンを扉側ケースの長孔とスライド部材の円弧孔に同時に貫通させた状態で羽根部材の連動ピン挿入孔に差し込んで扉側ケースとスライド部材と羽根部材を組み付ける。
【０００９】
また上記の水平面は１個ずつの単独の構成では安定しにくいため、扉側ケースに長孔を有した水平面を平行な配置で２個設け、その間は略直方体の凹み部分として形成し、スライド部材も軸心挿入孔と軸心挿入孔を中心とした円弧孔を有した水平面を２個備えた略箱型形状にて形成し、羽根部材も連動ピン挿入孔と軸心挿入孔を有した２個の水平面を略コの字形状に連結させ、さらに垂直方向の取り付け面を設けた形状にて形成しておくと良い。そして羽根部材の略コの字形状の２個の水平面をスライド部材に挿入し、各々２個の水平面を重ね合わせた状態で軸心にて連結し、その状態の略箱型形状のスライド部材をさらに扉側ケースの凹み部分に一方向にしか移動できない状態で嵌め込んで、各々３個の水平面を重ね合わせた状態で連動ピンを長孔と円弧孔に貫通させて連動ピン挿入孔に差し込んで扉側ケースとスライド部材と羽根部材を組み付けて丁番を構成する。
【００１０】
上記丁番を扉と枠体に装着する手段としては、扉側ケースに取り付け面を形成し、水平面の長孔が扉の厚み内に配置されるように扉の吊元側を彫り込んで扉側ケースを装着し、羽根部材の略コの字形状の部分から連続させて垂直方向の取り付け面を設け、枠体側板内面の手前側位置に羽根部材の取り付け面を装着することで扉が枠体に保持される。このとき閉鎖状態で扉内面が枠体側板前部に一定の隙間を有して近接して配置しておく。
【００１１】
そして閉鎖状態から扉を開放すると、連動ピンがスライド部材の円弧孔と扉側ケースの長孔に同時に挿入されているため、所定角度範囲まではスライド部材に対して扉側ケースを手前方向に徐々に押し出しながら開放する動作になり、扉は扉側ケースに固定されているため、扉内面端部コーナーが枠体側板前面に当接することなく回転する軌跡が得られる。そして所定角度範囲以降はスライド部材に対して扉側ケースが奥方向に戻る動作になる。また扉の最大開放角度はスライド部材の円弧孔の軸心挿入孔に対する開き角度にて設定できるため、最大開放時に扉正面端部コーナーが枠体側板前面に当接する直前の位置になるように、９０度以上の任意の角度にてスライド部材の円弧孔の開き角度を設定しておくと良い。
【００１２】
また従来のスライド丁番自体が有している閉鎖力も必要条件となるため、本発明の丁番においても同様の機能を有していなければならないと想定される。そこで扉側ケースの略直方体形状の凹み部分の横側部分に矩形スペースを拡張しておき、スライド部材に第一傾斜面を設け、第二傾斜面を有したばね受けをスライド部材の第一傾斜面とばね受けの第二傾斜面が面対するように配置し、矩形スペース端部と受け部材間にばね部材を挿入して、常に両傾斜面がより多く重なり合う方向に付勢するように構成する。すると閉鎖状態から扉を開放する際には、所定角度範囲まではスライド部材に対して扉側ケースを手前方向に徐々に押し出しながら開放する動作になるため、スライド部材の第一傾斜面がばね受けの第二傾斜面を押し込むと共にばね部材を圧縮させる動作になり、所定角度範囲未満での開放角度でそのまま扉を放置すると、ばね部材の付勢力により扉側ケースを奥方向に戻そうとする力が発生し、その結果扉が閉鎖する動作が得られる
【００１３】
次に扉を所定角度範囲を超えてさらに開放すると、連動ピンがスライド部材の円弧孔と扉側ケースの長孔に同時に挿入されているため、スライド部材に対して手前方向に持ち出されている扉側ケースが奥方向に戻る動作になり、ばね部材の付勢力により扉側ケースを奥方向に戻そうとする力と同方向になり、その結果所定角度範囲を超えた位置で扉を放置すると、そのまま最大開放角度まで扉を開かせる動作が得られる。その結果扉を開ける際には所定角度範囲を真ん中としてそれより開き角度が小さいときにはそのまま扉は閉鎖し、開き角度が大きいときにはそのまま最後まで扉は開放し、閉鎖時にはその逆の動作になり、所定角度範囲を挟んで開放側と閉鎖側に振り分けて付勢する動作が得られる。また扉側ケースの長孔の形状や角度を変えることにより所定角度範囲を任意に設定することも可能である。
【００１４】
また上記閉鎖力を軽い扉の時は小さく、重い扉の時は大きくできるとより効果的である。そこで扉側ケースの矩形スペース内でのばね部材を挟んだばね受けとは逆側にばね力調整部材を設け、扉を開放した状態で扉内面側からばね力調整部材を移動させることで、ばね部材の付勢力を強弱できる操作手段を有しているとさらに良い。その手段としては、傾斜面を有した２個の調整部材を互いの傾斜面が面対した状態で扉側ケースの矩形スペース内でのばね部材を挟んだばね受けとは逆側に配置し、片方の調整部材には雌ねじ部分を設けておき、ばね力調整ねじを雌ねじ部に螺合させた状態でねじの頭部が扉の内面に向いた状態で扉側ケースに対して空転するように配置し、ばね力調整ねじを回すことで他方のばね力調整部材を横方向に移動させてばね部材を押し込むことで付勢力が調整可能となる構成が良い。またさらに別の手段としては、ドライバーと適合する十字ビットと一体化された操作部分を有する偏心カムを設け、操作部分が扉内面に配置された状態で扉側ケースの矩形スペース内に配置し、操作部分を回す動作と共に偏心カムの側面がばね部材を押し込んで付勢力を調整可能とする構成であっても良い。
【００１５】
また家具等の収納スペースをより広く確保することも重要であり、丁番等を枠体側板内面に装着する際に出っ張りは極力小さいことが望まれる。そこで扉側ケースを扉の厚み内に彫り込んだ状態で配置し、その内部で扉の開閉動作を実施し、羽根部材の取り付け面を垂直方向の板形状にて設定しておくことにより、収納スペース内に突出する寸法を低減させることが可能となる。
【００１６】
また施工後に枠体に対して扉の位置を前後左右上下に建付け調整する手段も必要である。そこで、さらに追加して枠側ベース部材を設け、枠側ベース部材に前後調整用の偏心カムを配置して羽根部材の取り付け面に係合させ、左右調整ねじを設けて枠側ベースに対して羽根部材の取り付け面を、支点を中心に角度を変化させる略シーソー動作を採用すると、収納スペース内の出っ張りは非常に薄い形状で、左右と前後方向の調整を実施できる構成にすることが可能になる。また上下調整においては、扉側ケースの取り付け面に上下方向の長孔を設け、取り付けねじを緩めた後に押し引きして上下方向の位置を調整後に再固定する構成が簡単である。
【発明の効果】
【００１７】
長孔を有する扉側ケースと、軸心挿入孔と円弧孔を有するスライド部材と、連動ピン挿入孔と軸心挿入孔を有する羽根部材を軸心と連動ピンにて組み付けることで、開放時に扉内面側端部コーナーが枠体側板前面に当接することなく回転する軌跡が得られ、被せ納まりでの扉の開閉動作が可能になる。また開閉機構部分自体は扉側ケースを扉の厚み内に彫り込んだ状態での、埋め込まれた範囲で実施可能になるため、家具等の収納スペース内を有効に利用することができる。
【００１８】
開閉動作の際のスライド部材に対する扉側ケースの一方向のみへの移動動作を利用して、扉側ケースに矩形スペースを拡張しておき、その中に第一傾斜面を設けたスライド部材と、第二傾斜面を備えたばね受けとばね部材を挿入し、常に両傾斜面がより多く重なり合う方向にばね部材を付勢させることで、閉鎖状態から扉を開放する際には、スライド部材の第一傾斜面がばね受けの第二傾斜面を押し込むと共にばね部材を圧縮させる動作になり、所定角度範囲未満での開放角度でそのまま扉を放置すると、ばね部材の付勢力により扉側ケースを奥方向に戻そうとする力により扉が閉鎖する動作を得ることができる。
【００１９】
扉を所定角度範囲を超えてさらに開放すると、スライド部材に対して扉側ケースが奥方向に戻る動作になり、ばね部材の付勢力により扉側ケースを奥方向に戻そうとする力と同方向になり、その結果所定角度範囲を超えた位置で扉を放置すると、そのまま最大開放角度まで扉を開かせる動作が得られ、扉が勝手に閉鎖してくることはなく、最大開放位置にて停止保持させることができる。
【００２０】
扉側ケースの矩形スペース内で、ばね部材を挟んだばね受けとは逆側にばね力調整部材を設け、扉を開放した状態で扉内面側からばね力調整部材を移動調整させ、ばね部材の付勢力を強弱できる操作手段を設けると、扉のサイズや重量に任意に対応した閉鎖最終段階での最適な閉鎖力が得られ、扉の急激な閉鎖や、閉じきらないような誤作動を阻止することが可能になる。その結果従来のスライド丁番で用いられている衝撃吸収のためのダンパーは必要なくなると想定される。
【００２１】
さらに建付け調整機構を具備させる場合も、追加して枠側ベース部材を設け、枠側ベース部材に前後調整用の偏心カムを配置して羽根部材の取り付け面に係合させ、左右調整ねじを設けて枠側ベースに対して羽根部材の取り付け面を、支点を中心に角度を変化させる略シーソー動作により実施すると、収納スペース内側には薄平らな調整機構部分が出っ張るのみで左右と前後方向の調整が可能になる。また扉側ケースの取り付け面に上下方向の長孔を設け、取り付けねじを緩めた後に押し引きして上下方向の位置を調整後に再固定する構成の、上下方向への調整機構を有することも簡単である。その結果収納スペース内に突出する寸法を大幅に低減させることが可能となる。
【発明を実施するための最良の形態】
【００２２】
以下図面に基づいて本発明の実施の形態を説明する。図１は本発明の丁番の、扉の開閉機構部分のみを有した基本形態の斜視図であり、図２は基本形態での扉側ケースの上面図を、図３はスライド部材の上面図を、図４は羽根部材の上面図を示している。まず扉側ケース１は図１と図２に示すように長孔４を備えた２個の平行な水平面５を底面７と両側面で連結した形状の略直方体の凹み部分６を有しており、その上下に取り付け面８を設けておく。また長孔４は図２に示すように一定の角度で傾きを有している。そしてスライド部材２も図１と図３に示すように、軸心挿入孔１０と軸心挿入孔１０を中心とした円弧孔１１を有した水平面５を２個備えた略箱型形状にて形成されている。この時扉側ケース１の凹み部分６にスライド部材２を挿入した際に、がたつきなく一方向にしか移動できないように両者の寸法を設定しておくと良い。
【００２３】
また羽根部材３も図１や図４に示すように、連動ピン挿入孔１２と軸心挿入孔１０を有した水平面２個を略コの字形状に連結させた部分と垂直方向の取り付け面８からなり、羽根部材３の略コの字形状の部分をスライド部材２に挿入し、上下各々２個ずつの水平面５を重ね合わせた状態で軸心１３にて両者を回転自在に連結する。そして連結された状態の略箱型形状のスライド部材２を扉側ケース１の略直方体の凹み部分６にさらに嵌め込んで、上下各々３個の水平面５を重ね合わせた状態で、上下から２本の連動ピン１４を扉側ケース１の長孔４とスライド部材２の円弧孔１０に貫通させた状態で羽根部材３の連動ピン挿入孔１２に差し込んで扉側ケース１とスライド部材２と羽根部材３を組み付けて丁番を構成する。この時連動ピン１４は圧入に適したスプリングのロールピン等でもよいが、図１に示すように連動ピン１４の片端部を雄ねじ部として形成しておき、羽根部材３の連動ピン挿入孔１２を雌ねじ部として形成しておくと連動ピン１４の固定が確実でかつ容易である。
【００２４】
図５は上記丁番を箱型の収納部材に取り付けた状態の上面図であり、まず扉４１の吊元側を扉側ケース１の凹み部分６と取り付け面８が両方埋め込まれるように２段に彫り込み、扉側ケース１の取り付け面８を木ねじ等の取り付けねじ１５で扉内面１６に固定する。そして羽根部材３の垂直方向の取り付け面８を枠体側板内面１８の手前位置に同様に木ねじ等の取り付けねじ１５で固定して扉４１を枠体４２に装着する。このとき枠体側板前面１９に扉内面１６が被さった状態で、小さい寸法の隙間を有して近接して配置されるのが一般的な納まりになる。またこの状態からの扉４１の開閉動作の説明の際に、位置関係や方向が分かりやすいように、図５に示すように扉４１の各箇所の表記としては、外観として見える側を扉正面１７とし、その逆の裏側を扉内面１６と表記し、扉４１の角位置は扉内面端部コーナー２０と扉正面端部コーナー２１として表記し、方向としては収納部材全体での扉正面１７側を手前方向、収納部材の逆側を奥方向として表記する。また枠体４２の各箇所の表記に関しても、図５に示すように枠体側板内面１８と枠体側板前面１９として表記する。
【００２５】
図６は閉鎖状態から扉４１を１０度ごとに開放した位置を連続させて表記した軌跡図であり、扉側ケース１に対するスライド部材２の位置関係をわかりやすくするために、扉側ケース１の底面７の位置とスライド部材２の手前辺９の位置を主に明記している。まず図６（ａ）は扉４１が完全に閉じた状態であり、連動ピン１４は重なった状態での扉側ケース１の長孔４とスライド部材２の円弧孔１１の手前端部に貫通して配置されており、扉側ケース１の凹み部分６の底面７にスライド部材２の手前辺９が接した状態で完全に嵌まり込んでいる。そして図６（ａ）に示す閉鎖状態から扉４１を開放すると、連動ピン１４がスライド部材２の円弧孔１１と扉側ケース１の長孔４に同時に挿入されているため、スライド部材２の円弧孔１１に沿って連動ピン１４は移動しようとする。このときスライド部材２の円弧孔１１と扉側ケース１の長孔４が交差した状態になっており、その交差角度が比較的大きいため、扉側ケース１の長孔４を手前方向に押し出す動作になる。またスライド部材２は扉側ケース１の凹み部分６に対して扉４１と垂直方向である扉内面１６方向にしか移動できないため、その結果図６（ｂ）に示すようにスライド部材２に対して扉側ケース１の凹み部分６が滑りつつ、扉４１を手前方向に持ち出しながら回転することになる。つまり扉側ケース１の底面７とスライド部材２の手前辺９に隙間が生じることになり、その隙間の寸法を図６（ｂ）の状態でＢ寸法とする。
【００２６】
この開放と共に扉４１を手前方向に持ち出す動作は、扉４１を２０度開放した状態での図６（ｃ）から３０度開放した図６（ｄ）を経て４０度開放した図６（ｅ）まで続き、したがって扉側ケース１の底面７とスライド部材２の手前辺９の隙間はＢ＜Ｃ＜Ｄ＜Ｅと徐々に大きくなっていく。この動作は扉４１の開放での初期段階に図１４に示すように扉内面端部コーナー２０が枠体側板前面１９に当接してしまう問題点を解消するのに有効である。ここで図１４は同じ条件の扉４１と枠体４２で、軸心１３位置も図６と同じ状態からの単軸での回転軌跡を示しており、図１４（ａ）に示す閉鎖状態では図６（ａ）と同じ位置にあるが、扉の開放と共に２０度〜３０度の位置で図１４（ｂ）に示すように扉内面端部コーナー２０が枠体側板前面１９に当接してそれ以上開放できない状態になってしまう。
【００２７】
ところが図６においては、開放と共に扉４１自体が扉側ケース１と共に手前方向に持ち出されながら回転するため、図６（ａ）での閉鎖状態での扉内面１６の位置を一点鎖線にて基準線として表示すると、扉内面端部コーナー２０が枠体側板前面１９に接近しようとする分徐々に扉４１自体が持ち出されるため、４０度開放位置である図６（ｅ）までは扉内面端部コーナー２０は枠体側板前面１９にほぼ接近しない軌跡が得られる。
【００２８】
そして４０度開放位置の図６（ｅ）から５０度開放位置の図６（ｆ）を経て６０度開放位置の図６（ｇ）に至る範囲はスライド部材２の円弧孔１１と扉側ケース１の長孔４との交差角度が非常に小さい状態になり、扉４１の開放角度に対する扉側ケース１の持ち出し量の変化はほとんど無い状態になる。したがって扉側ケース１の底面７とスライド部材２の手前辺９の隙間寸法はほぼＥ≒Ｆ≒Ｇになる。ここで上記の図６（ｅ）から図６（ｇ）に至る範囲を所定角度範囲とする。また図６（ｅ）の段階で扉内面端部コーナー２０が枠体側板前面１９に接近していないため、その後の開放動作で扉内面端部コーナー２０がわずかに枠体側板前面１９に接近する軌跡になるが、初期に設定された納まりでの隙間範囲内で十分動作するため、図６（ｇ）においても扉４１の開放には全く支障はない。
【００２９】
そして６０度開放位置である図６（ｇ）からはまたスライド部材２の円弧孔１１と扉側ケース１の長孔４との交差角度が逆方向に徐々に大きくなっていくため、今度は扉側ケース１の底面７とスライド部材２の手前辺９の隙間寸法は逆に小さくなっていき、７０度開放位置から８０度開放を経て９０度開放においてはＧ＞Ｈ＞Ｉ＞Ｊになる。そして図６（ｋ）に示す１００度開放位置では、扉側ケース１の底面７とスライド部材２の手前辺９の隙間Ｋはかなり小さくなる。またこの１００度開放位置で扉正面端部コーナー２１が枠体側板前面１９に当接する直前にまで移動するため、スライド部材２の円弧孔１１の開き角度を１００度にて設定しておくと、この位置で扉４１の開放を停止させることができる。そして図６（ｇ）から図６（ｋ）においても扉内面端部コーナー２０が枠体側板前面１９に当接することはない。
【００３０】
上記の扉４１を手前方向に持ち出しながら回転させる構成は図６の設定が基本となるのであるが、その持ち出す程度や開放角度ごとの位置は任意に変更可能である。その手段としては扉側ケース１の長孔４の傾斜度合を変更する方法や、長孔４自体の形状を直線形状ではなく、スライド部材２の円弧孔１１とは逆Ｒでの大きな円弧形状にする方法や、直線部分と大きな円弧部分を連続させた形状にする等様々な手段が可能である。また閉鎖状態における凹み部分６内での軸心１３の位置とその位置に対する円弧孔１１の距離や配置も開放軌跡において影響を及ぼすため、様々な要素を選択して最も有効な開閉軌跡を選択すると良い。
【００３１】
次にもう一つの必要条件である閉鎖機構について説明し、その後にさらにもう一つの必要条件である枠体４２に対する扉４１の位置を施工後に建付け調整する構成を説明する。図７は図１に示した基本形態に閉鎖機構と建付け調整機構を追加した構成の分解斜視図である。そして図８は基本形態に閉鎖機構のみを追加して組み込んだ構成の上面図である。まず図７と図８に示すようにスライド部材２に第一傾斜面２２を設ける。そして図８に示すように扉側ケース１の略直方体形状の凹み部分６の横側部分に矩形スペース２５を拡張し、第二傾斜面２４を有したばね受け２３をばね部材２６と共に矩形スペース２５に挿入し、スライド部材２の第一傾斜面２２とばね受け２３の第二傾斜面２４が面対するように配置する。このときばね部材２６を両傾斜面がより多く重なり合う方向に付勢するように設定する。したがってばね部材２６によりばね受け２３の第二傾斜面２４が常にスライド部材２の第一傾斜面２２を押し付けている状態になっている。
【００３２】
この図８の状態から扉４１を開放した時の軌跡図が図９であり、開閉機構部分は図６に示す動作と同様であるため、扉側ケース１の底面７とスライド部材２の手前辺９との隙間寸法は図６での０度〜４０度まではＢ＜Ｃ＜Ｄ＜Ｅと隙間寸法は増加し、その後の６０度解放まではＥ≒Ｆ≒Ｇとほぼ隙間寸法は一定になり、さらにその後の１００度解放まではＧ＞Ｈ＞Ｉ＞Ｊと隙間寸法は再度小さくなっていく。したがって開放初期においては扉側ケース１が手前方向に移動しつつスライド部材２の第一傾斜面２２がばね受け２３の第二傾斜面２４を押す動作になり、両傾斜面により力の方向が変更され、その結果ばね部材を圧縮させることになる。図９（ｂ）は４０度開放段階を示しており、ばね部材２６は大きく圧縮された状態で、そのまま扉４１を放置するとばね部材２６が戻ろうとする力によりスライド部材２も図９（ａ）の閉鎖状態に復帰しようとする力が働き、すなわち扉４１を閉鎖することが可能になる。
【００３３】
そして前述のように図９（ｂ）に示す４０度開放から図９（ｃ）に示す６０度開放付近までは、扉側ケース１の底面７とスライド部材２の手前辺９の隙間寸法がほぼ一定である所定角度範囲であるため、この所定角度範囲内で扉４１を放置するとそのままの位置で止まった状態になると想定される。そして所定角度範囲を超えてさらに大きく扉４１を開放すると、扉側ケース１の底面７とスライド部材２の手前辺９の隙間寸法が小さくなっていく現象になるため、スライド部材２に対して扉側ケース１が奥方向に戻る動作になり、ばね部材２６の付勢力によりスライド部材２を奥方向に戻そうとする力と同方向になり、そのまま扉４１を放置すると図９（ｄ）に示すようにそのまま最大角度まで扉４１を開放させる動作になる。
【００３４】
したがって全体の開閉動作としては、閉鎖状態から扉４１を開ける際には所定角度範囲を真ん中としてそれより開き角度が小さいときにはそのまま扉４１は閉鎖し、開き角度が大きいときにはそのまま最後まで扉４１は開放し、閉鎖時にはその逆の動作になる、所定角度範囲を挟んで開放側と閉鎖側に振り分けて付勢する動作が得られることになる。
【００３５】
ここで従来のスライド丁番においては扉４１の閉鎖力は一定であり、したがって間口の狭い軽い扉においてはばね力が勝ってバタンと閉じてしまうような動作になりがちであり、逆に間口の広い重い扉であればばね力が足らずに閉じきらないというような現象がどうしても発生してしまう。そこで強めのばね力に設定しておき、強すぎる場合にはダンパーを用いて閉鎖直前に力を吸収させる構成が用いられることが多い。しかし本来では閉鎖力そのものを調整できればダンパーを使用する必要はないと想定され、さらに効果的な構成が望まれる。
【００３６】
そこで扉側ケース１の矩形スペース２５内でのばね部材２６を挟んだばね受け２３とは逆側にばね力を調整できる構成を設け、扉４１を開放した状態で扉内面１６側からばね部材２６の付勢力を強弱できる操作手段を有していると良い。図１０はその手段としての一例の上面図であり、図７にも同様の構成を表記している。まず図７に示すように、ばね部材２６を挟んでばね受け２３とは逆の位置に、第三傾斜面２８を有した略三角形のばね力調整部材２７を設け、さらに第四傾斜面３１と雌ねじ部２９を有した略三角形の雌ねじ部付きばね力調整部材を３０設け、図１０（ａ）に示すように、互いの傾斜面が面対した状態で矩形スペース２５内に配置し、ばね力調整ねじ３２を雌ねじ部付きばね力調整部材３０に螺合させた状態で、ばね力調整ねじ３２の頭部が扉内面１６に向いた配置で扉側ケース１に対して空転するように装着しておく。図１１は図１０（ａ）の状態を扉内面１６から見た平面図であり、扉４１を開けた状態でばね力調整ねじ３２を回しやすいように配置しておくと良い。
【００３７】
そして図１０（ａ）はばね部材２６による付勢力が最も弱い状態を示しており、雌ねじ部付きばね力調整部材３０は矩形スペース２５内での手前側に配置されている。この状態からばね力調整ねじ３２を回すと、雌ねじ部付きばね力調整部材３０が奥方向に移動し、面対した第四傾斜面３１と第三傾斜面２８によりばね力調整部材２７の移動方向が変換され、図１０（ｂ）に示すようにばね力調整部材２７がばね部材２６を圧縮させることになる。すると閉鎖力が増幅されることになり、その結果施工後に扉４１のサイズや重量に応じた閉鎖力に簡単に調整することが可能になり、強すぎることもなく、弱すぎることもない適度な閉鎖条件を得ることが容易に実現できる。またばね部材２６の付勢力の調整できる範囲を大きく設定することで、１枚の扉４１に複数個のスライド丁番を使用している場合においても、本発明の丁番を使用する場合では数量を削減することも可能になると想定される。
【００３８】
またさらに別の手段としては図１２に示すように、ドライバーと適合する十字ビットと一体化された操作部分を有する偏心カム３３を設け、操作部分が扉内面１６側なるように扉側ケース１内に配置し、操作部分を回す動作と共に偏心カム３３の側面がばね部材２６を押し込んで付勢力を調整可能とする構成であっても良い。この機構を用いる場合はばね部材２６により戻る方向への付勢力で偏心カム３３が逆回転してしまわないように、接点に細かいギザギザを用いる等の手段を合わせて採用することが必要であり、この点においては図示はしないが、偏心カム３３の代わりに等速カムを用いる構成であっても良い。
【００３９】
また施工後に枠体４２に対して扉４１の位置を前後左右上下の三方向に調整する建付け調整機構も必要であり、様々な構成が可能であるが、本発明の丁番においては、開閉機構部分自体は扉側ケース１を扉４１の厚み内に彫り込んだ状態での埋め込まれた範囲で実施可能になることが特徴であり、したがって羽根部材３の枠体４２に対する取り付け面８を利用して建付け調整を実施すると良い。さらには収納スペースをより広く確保することも重要であり、枠体側板内面１８に装着する際に出っ張りは極力小さいことが望まれる。
【００４０】
そこで図７に示すように、板状で凸状の支点３５を挟んで両側に雌ねじ部２９を有した枠側ベース部材３４を設け、支点３５の横にさらに偏心形状の前後調整カム３６を配置しておく。そして羽根部材３の取り付け面８を、上下を曲げ込んだ略コの字形状にて形成し、前後調整用長孔３９と前後調整カム挿入孔３７を設け、枠側ベース部材３４に羽根部材３の取り付け面８を被せるようにして、前後調整カム３６を前後調整カム挿入孔３７に差し込んだ状態で装着する。そして支点３５を挟んだ両側の前後調整用長孔３９を通して枠側ベース部材３４の雌ねじ部２９に２本の左右調整ねじ３８を螺合しておく。
【００４１】
図１３は図７に示す建付け調整機構を備えた丁番を取り付けた状態の上面図であり、あらかじめ枠側ベース部材３４を木ねじ等の取り付けねじ１５で枠体側板内面１８に固定しておき、羽根部材３を２本の左右調整ねじ３８にて装着した、建付け調整前の基準状態を示している。そしてこの状態から２本の左右調整ねじ３８を少しだけ緩め、前後調整カム３６を回転させると前後調整が実施され、２本の左右調整ねじ３８を押し引きすることで、羽根部材３は枠側ベース部材３４の支点３５に対して略シーソー動作して左右調整を実施することが可能となり、適正な位置で左右調整ねじ３８を締め込むと固定することができる。また図７と図１１に示すように扉側ケース１の取り付け面８の孔を上下方向に長い上下調整用長孔４０にしておくと、取り付けねじ１５を緩めて上下方向に移動後再度締め付けることで上下方向の調整も併せ持つ構成にできる。
【００４２】
そしてこの建付け調整の構成は、図１３に示すように枠側ベース部材３４と羽根部材３の取り付け面８と、左右調整のためのシーソー動作による移動幅のみが枠体側板内面１８から突出するだけで済み、全体として非常に薄く設定することができ、収納スペースを広く有効に使用することが可能になる。また建付け調整機構は上記の構成に限ったものではなく、略シーソー動作の支点位置を変えた構成であるとか、左右調整を扉側で実施する等限定されず任意である。
【図面の簡単な説明】
【００４３】
【図１】本発明の丁番の、開閉機構部分を備えた基本形態の斜視図である。
【図２】本発明の丁番の、扉側ケースの上面図である。
【図３】本発明の丁番の、スライド部材の上面図である。
【図４】本発明の丁番の、羽根部材の上面図である。
【図５】本発明の基本形態の丁番を収納家具に装着した状態の上面図である。
【図６】本発明の基本形態の丁番の開閉軌跡図である。
【図７】本発明の基本形態の丁番に、閉鎖力調整機構と建付け調整機構を追加した構成の斜視図である。
【図８】本発明の基本形態の丁番に、閉鎖機構を追加した構成の上面図である。
【図９】本発明の基本形態の丁番に、閉鎖機構を追加した構成の開閉軌跡図である。
【図１０】本発明の基本形態の丁番に、閉鎖力調整機構を追加した構成の上面図である。
【図１１】本発明の丁番の閉鎖力調整機構に、２個の傾斜面を有するばね力調整部材を用いた構成の平面図である。
【図１２】本発明の丁番の閉鎖力調整機構に、偏心カムを用いた構成の平面図である。
【図１３】本発明の基本形態の丁番に、閉鎖力調整機構と建付け調整機構を追加した構成の上面納まり図である。
【図１４】従来の単軸の丁番を、本発明の丁番と同じ配置で収納家具に装着した時の軌跡図である。
【符号の説明】
【００４４】
１      扉側ケース
２      スライド部材
３      羽根部材
４      長孔
５      水平面
６      凹み部分
７      底面
８      取り付け面
９      手前辺
１０      軸心挿入孔
１１      円弧孔
１２      連動ピン挿入孔
１３      軸心
１４      連動ピン
１５      取り付けねじ
１６      扉内面
１７      扉正面
１８      枠体側板内面
１９      枠体側板前面
２０      扉内面端部コーナー
２１      扉正面端部コーナー
２２      第一傾斜面
２３      ばね受け
２４      第二傾斜面
２５      矩形スペース
２６      ばね部材
２７      ばね力調整部材
２８      第三傾斜面
２９      雌ねじ部
３０      雌ねじ部付きばね力調整部材
３１      第四傾斜面
３２      ばね力調整ねじ
３３      偏心カム
３４      枠側ベース部材
３５      支点
３６      前後調整カム
３７      前後調整カム挿入孔
３８      左右調整ねじ
３９      前後調整用長孔
４０      上下調整用長孔
４１      扉
４２      枠体
【図１】
2018123655.tif 000003
【図２】
2018123655.tif 000004
【図３】
2018123655.tif 000005
【図４】
2018123655.tif 000006
【図５】
2018123655.tif 000007
【図６】
2018123655.tif 000008
【図７】
2018123655.tif 000009
【図８】
2018123655.tif 000010
【図９】
2018123655.tif 000011
【図１０】
2018123655.tif 000012
【図１１】
2018123655.tif 000013
【図１２】
2018123655.tif 000014
【図１３】
2018123655.tif 000015
【図１４】
2018123655.tif 000016